(57)【要約】【課題】災害時に避難してきた多くの住民に効率よく飲料物を提供できる湯沸かし器を提供すること。【解決手段】湯沸かし器１は、給湯器２を搭載した架台３と、架台３の下方に配置されて架台３を載設可能な移動台車１０とを備えている。移動台車１０は、架台３の底板支持板に形成された四方枠に嵌着されて架台３に対して着脱可能に配置されている。また、移動台車１０は角筒状に形成する台車本体部１１と台車本体部１１の下面に到着する４個のキャスタとを備えている。さらに、台車本体部１１の一側面に折り畳み可能な手押しハンドルを備え、台車本体部１１の下面に折り畳み可能な折り畳み脚部を備えている。さらに、台車本体部１１の内部に摺動可能な予備テーブル１３を備えている。【選択図】図１
0003135231.tif 000002
【実用新案登録請求の範囲】
【請求項１】
移動式災害用湯沸かし器であって、
架台と、前記架台に載設された給湯器と、を備え、
前記架台には、前記給湯器を支持する天板と物品を載設する底板とを備え、
前記底板にキャスタを備える移動台車が着脱可能に配設されていることを特徴とする移動式災害用湯沸かし器。
【請求項２】
前記移動台車は平面視矩形状に形成され、前記架台の底板には前記移動台車の４側面を囲う支持枠が配設されていることを特徴とする請求項１記載の移動式災害用湯沸かし器。
【請求項３】
前記移動台車は、台車本体と前記台車本体に対して折り畳み可能な脚部を備えて構成されていることを特徴とする請求項１又は２記載の移動式災害用湯沸かし器。
【請求項４】
前記台車本体は一方が開口する筒状に形成され、内部に予備テーブルが摺動可能に配設されていることを特徴とする請求項３記載の移動式災害用湯沸かし器。
【請求項５】
前記予備テーブルには、前記台車本体から延設する際に、前記予備テーブルを支持する折り畳み可能な脚部が配設されていることを特徴とする請求項４記載の移動式災害用湯沸かし器。
【請求項６】
前記移動台車の一側面には、折り畳み可能な手押しハンドルが配設されていることを特徴とする請求項１，２，３，４又は５のいずれかに記載の移動式災害用湯沸かし器。
【考案の詳細な説明】
【技術分野】
【０００１】
本考案は、災害時に好適に使用できる移動式災害用湯沸かし器に関する。
【背景技術】
【０００２】
一般に、火事や地震等の異常事態が発生した場合、学校や公園を避難場所として設定されていることが多い。この場合、避難してきた住民は緊急であることから、充分な食料や飲み物を持参しているわけではない。そのため、避難場所においては、まず食べ物や飲み物が要求されることとなる。特に飲み物は、調理するためにも必要となることから、まず水を沸かす装置を必要としていた。
【０００３】
従来においては、緊急時に使用するための食材等の防災物資を収納する防災備蓄倉庫が提案されていた（特許文献１）。この防災備蓄倉庫には、ガスボンベや炊飯かまど又は釜あるいは食材等が保管できるようになっており、市販の物置を改造することができて容易に製造することができるようになっていた。
【特許文献１】実用新案登録第３１２１５４０号公報
【考案の開示】
【考案が解決しようとする課題】
【０００４】
しかし、防災備蓄倉庫に湯沸し装置を設置することはできても、防災備蓄倉庫は、どこにでも設置できるわけではなく、そのため防災備蓄倉庫に収納されている備品や防災物資を避難場所に移動して、避難してきた住民に食料や飲み物を供給するまでには、時間を要することとなっていた。また、従来から提供されている湯沸かし器は、一般的に家庭内に固定して設置したものや、電気湯沸かし器等が知られているものの、電源を必要としていたことから、屋外で使用することには好適ではなかった。
【０００５】
そのため、災害時において、避難してきた住民に有効に利用するためには、湯沸かし器が移動できるものであって、電源を使用することなく即座に湯沸かしできるものが求められていた。
【課題を解決するための手段】
【０００６】
本考案は、上述の課題を解決するものであり、災害時に即座に移動して有効に使用できる移動式災害用湯沸かし器を提供することを目的とする。そのために以下のように構成するものである。すなわち、
請求項１記載の考案では、移動式災害用湯沸かし器であって、架台と、前記架台に載設された給湯器と、を備え、前記架台には、前記給湯器を支持する天板と物品を載設する底板とを備え、前記底板にキャスタを備える移動台車が着脱可能に配設されていることを特徴とするものである。
【０００７】
請求項２記載の考案では、前記移動台車は平面視矩形状に形成され、前記架台の底板には前記移動台車の４側面を囲う支持枠が配設されていることを特徴としている。
【０００８】
請求項３記載の考案では、前記移動台車は、台車本体と前記台車本体に対して折り畳み可能な脚部を備えて構成されていることを特徴としている。
【０００９】
請求項４記載の考案では、前記台車本体は一方が開口する筒状に形成され、内部に予備テーブルが摺動可能に配設されていることを特徴としている。
【００１０】
請求項５記載の考案では、前記予備テーブルには、前記台車本体から延設する際に、前記予備テーブルを支持する折り畳み可能な脚部が配設されていることを特徴としている。
【００１１】
請求項６記載の考案では、前記移動台車の一側面には、折り畳み可能な手押しハンドルが配設されていることを特徴としている。
【考案の効果】
【００１２】
本考案に係る移動式災害用湯沸かし器では、給湯器を装着した架台は下方に配設された移動台車に載設されている。移動台車にはキャスタが装着されていて、架台とは着脱可能に配設されている。したがって、災害時、給湯器を搭載する架台は、まず移動台車によって避難場所に即座に移動させることができる。そして、移動台車を架台から分離することによって移動台車を調理台として使用することができる。この際、架台に脚部を設けることによって、その場に安定して配置させておくことができる。また、この給湯器を、電気以外の供給源、例えば、ガスを使用することによって、避難してきた住民に即座に使用してもらうとともに１日２４時間使用することができる。
【００１３】
また、架台から脱着した移動台車は、折り畳み脚部を広げることによって台車本体を適度な高さに配置でき、給湯器から給湯されたお湯を使用して調理することができる。
【００１４】
さらに、移動台車の中に収納されている予備テーブルを引き出すことによって、調理する面あるいはテーブルのスペースを広くすることができ、できるだけ多くの人に利用してもらうことができる。
【００１５】
また、移動台車に配設された手押しハンドルを立設することによって、移動台車を誰でもいつでも容易に適宜な位置に移動することができる。
【考案を実施するための最良の形態】
【００１６】
次に、本考案の移動式災害用湯沸し器の一形態を図面に基づいて説明する。
【００１７】
実施形態の移動式災害用湯沸かし器(以下、湯沸かし器という)１は、屋外で使用することに好適であり、図１〜３に示すように、給湯器２を装着した架台３と、架台３を載設する調理台兼用移動台車（以下、移動台車という。）１０とを備えて構成されている。
【００１８】
架台１０は、４隅に配置される支柱５と、支柱５の上端部に配置される天板６と支柱５の下部に配置される底板７とを備え、一側部には、側板８が装着されている。底板７は、支柱５に一体的に形成された底板支持枠９に着脱可能に装着されている。底板７には、防災用備品、たとえば、バケツや脚立、あるいはガスボンベやガスバーナー、さらには給水ホース等が収納される。天板６、底板７、側板８は、屋外で使用するために、実施形態においては、ステンレス材で形成されている。
【００１９】
４本の支柱５の下端は脚部５１が高さ調整可能に装着されている。つまり、脚部５１には、ねじ部５１ａが形成されて上下方向に移動可能に配置されている。底板支持板９は、図４〜５に示すように、４本の支柱５を接続する外枠９１と、対向する外枠９１の左右側枠を横架する複数の横梁９２と、複数の横梁９２に一体的に形成されて下方に向かって延設する四方枠９３を有して形成されている。実施形態の四方枠９３は、アングル部材（等辺山形鋼）を矩形枠状となるように溶接して形成している。
【００２０】
底板支持枠９の下方には、四方枠９３に囲まれるように嵌着された移動台車１０が着脱可能に配置されている。
【００２１】
実施形態の移動台車１０は、図６に示すように、角筒状に形成された台車本体１１と、台車本体１１の下面側に装着された４個のキャスタ１２とを備えて構成されている。角筒状の台車本体１１の内部には、予備テーブル１３が収納されていて必要に応じて出入可能に配置されている。台車本体１１の上面１１ａは、調理ができるように平面上に形成されて調理台及びテーブル面として形成されている。台車本体１１の後面には手押しハンドル１４が折り畳み可能に配置されている（図６においては手押しハンドル１４を立設した状態を示す）。また、台車本体１１の下面には、折り畳み脚部１５が配置され、図７に示すように、台車本体１１が架台３から脱着した際に折り畳み脚部１５を広げて、台車本体１１の上面を所定の高さに設定することができる。折り畳み部脚部１５を立脚する際には、キャスタ１２が地面から離れることから手押しハンドル１４を閉じて略水平方向に傾倒させることとなる。
【００２２】
図８に示すように、手押しハンドル１４はＬ字状に形成され、一端が、台車本体１１の後端面に装着されたベース板３１に回動可能に装着されている。手押しハンドル１４及びベース板３１は左右一対配置されるとともに、手押しハンドル１４はそれぞれ対向する方向に向かって傾倒される。それぞれのベース板３１には、手押しハンドル１４を回動可能に支持するピン部３２と手押しハンドル１４を立てたときに、手押しハンドル１４の立て位置をガイドする位置ガイドパイプ３３が設けられている。手押しハンドル１４の一端にはピン部３２が挿入される部位に長手方向に沿って長孔１４１が形成され、手押しハンドル１４を立てた状態で、長孔１４１の上端が手押しハンドル１４の位置決めストッパとして形成されている。
【００２３】
また、台車本体１１の後端面には手押しハンドル受け部３４が配置されて、手押しハンドル１４を傾倒する際に手押しハンドル１４の他端を支持している。なお、一対の手押しハンドル１４は、前後方向に位置ずれして配置され、お互いに干渉することはない。
【００２４】
台車本体１１の内部側面には、予備テーブル１３の摺動ガイド部１６が構成されている。摺動ガイド部１６は、図９に示すように、台車本体１１の内部側面に装着されたＬ字状のレール板１６１と、レール板１６１に支持板１６３を介して摺動可能に装着された台車本体側摺動板１６２と、予備テーブル１３の側面に装着された支持板１６４と、支持板１６４に摺動可能に装着された予備テーブル側摺動板１６５とを有して構成されている。
【００２５】
予備テーブル１３は、下面の両縁部がレール板１６１に摺動可能に支持され、さらに、前方部に１個の折り畳み脚部１５が装着され、前方端面に台車本体１１に固定できるロック部１８が装着されている。
【００２６】
実施形態の折り畳み脚部１５の折り畳み機構１５１は、図１０〜１１に示すように、折り畳み脚部１５の一端が台車本体１１の下面で回動可能に支持されるとともに、折り畳み脚部１５の立脚時において、折り畳み脚部１５を支持するＶ字状の支持レバー１５３を備えている。台車本体１１の下面にはベース板１５２が装着されるとともに、ベース板１５２に、折り畳み脚部１５を回動可能に支持する支持ピン１５４と、支持ピン１５４を支持する一対の支持ブロック１５５が配置されている。さらに、支持レバー１５３は、Ｖ字状に広がっている部位（元部１５３ａという。）がそれぞれベース板１５２に装着されたレバー受け１５６に回動可能に支持されるとともに、屈曲された部位（先端部１５３ｂという。）が折り畳み脚部１５に摺動可能に連結されている。支持レバー１５３は、元部１５３ａを狭める方向に可撓性を有するとともに、折り畳み脚部１５が立脚した状態、つまり、元部１５３ａが開いている状態で、元部１５３ａがレバー受け１５６にロックされる。元部１５３ａをロック解除する場合には、元部１５３ａを狭める方向に撓ませることによって行うことができる。
【００２７】
ロック部１８は、図９に示すように、予備テーブル１３の先端部に装着されて係止金具１８１ａを備えるロック本体１８１と、台車本体１１の先端部に装着された受け金具１８２とを備えている。係止金具１８１ａはコ字状に形成されてロック本体１８１に回動可能に装着され、予備テーブル１３が台車本体１１内に収納されている状態で受け金具１８２に係止できるように構成されている。
【００２８】
給湯器２は、貯留タンク部を備えるとともに、貯留タンク部に水を供給するための給水ホースの一端が接続される給水口を有して、ガスバーナーで加熱できるように構成されているものであればよい。実施形態の給湯器２は、図１に示すように、上部に給水口２１を配置して給水ホース２２の一端が接続され、中央部にガスバーナーと接続するガスコントローラ２３が配置されている。ガスコントローラ２３はガスボンベ２４に一端を接続されたガスホース２５の他端が接続されている。また、給湯器２の下部には、複数の給湯コック２６が配置されて、沸騰された湯を、例えばコップ等に注入することになる。
【００２９】
次に、上記のように構成された湯沸かし器１の作用について説明する。
【００３０】
湯沸かし器１は、使用しないときには、学校の倉庫や公園内の倉庫など避難場所あるいはその付近に設置するか、または災害備蓄倉庫があれば、その中に収納することが望ましい。使用しない状態の湯沸かし器は、図１に示すように、架台３は移動台車１０上に載設されている。底板７上には、災害用備品が載置されている。
【００３１】
非常事態が発生した場合、湯沸かし器１は移動台車１０に走行されて避難場所に移動し、避難場所に設置されている水道付近に移動する。避難場所に湯沸かし器１０を移動すると、移動台車１０を架台３から脱着して給湯器２を備えた架台３と分離する。移動台車１０から分離された架台３には、支柱５の下部に配置された４個の脚部５１を備えているから、４個の脚部５１を地面に接地する。この際、脚部５１の高さ調整を行う。移動台車１０に水平方向に収納されている手押しハンドル１４を立設して適宜な場所に移動する。
【００３２】
手押しハンドル１４を立設する場合、水平方向に傾倒されている一対の手押しハンドル１４を、図８における二点差線で示すように、ピン部３２を中心にして回動して立設すると、それぞれの手押しハンドル１４は、その重力で長孔１４１に沿って下方に移動する。下方に移動した手押しハンドル１４の一端は、位置ガイドパイプ３３内に進入することによって、手押しハンドル１４を垂直状態で保持する。立設された一対の手押しハンドル１４、１４は、図６に示すように、お互いに屈曲された部位を対向させる位置となり、手押し操作を容易に行えることとなる。
【００３３】
適宜の位置に移動した移動台車１０は、折り畳み脚部１５を開いて立脚することによって、テーブルとして使用することができる。折り畳み脚部１５の立脚は、支持レバー１５３とともに下方に開く方向に回動させることによって行われる。そして、図７に示すように、予備テーブル１３と台車本体１１とのロック部１８のロックを解除して、予備テーブル１３を台車本体１１の内部から引き出す。予備テーブル１３は、摺動ガイド部１６に案内されて台車本体１１から引き出され、そして予備テーブル１３の折り畳み脚部１５を開いて、予備テーブル１３を支持する。
【００３４】
移動台車１０の台車本体１１は、例えば、ステンレス材で形成することによって、台車本体１１の上面をテーブルとして使用するだけではなく、台車本体１１の上面を水で洗った後、包丁で野菜や果物あるいはその他の食材を切り刻んで調理する調理台として使用する。そして、架台３に載設された給湯器２を付近に配置させておくことで、沸騰されたお湯と合わせて調理することができる。
【００３５】
一方、給湯器２において、給水ホース２２を水道の蛇口と給湯器２の給水口２１に接続して水を供給する。次に、ガスボンベ２４を取り出して、ガスホース２５でガスボンベ２４とガスコントローラ２３とを接続する。ガスボンベ２４をガスコントローラ２３に２本接続させれば、１本のガスボンベ２４内のガスがなくなっても、２本目のガスボンベ２４を使用し、ガスがなくなったガスボンベ２４を新たに交換すれば予備とすることができる。これによって、連続的にガスを供給することができる。
【００３６】
給湯器２に、自動温度調節器が装着されていれば、１日２４時間、常時使用できる。給湯器２としては、実施形態においては、一般に知られているものを搭載しているものであるが、水を貯留できるタンク部を有して、ガスバーナーで加熱できるように構成されているものであれば特に規制するものではない。
【００３７】
給湯器２内の水が沸騰して注湯可能となれば、給湯コック２６を開いて湯を注ぐ。天板６上には、例えば、即席麺のカップや粉ミルクを入れた哺乳瓶等を並べておくことができることから、避難してきた多くの住民に一時的な食糧を供給することができる。なお、給湯器２の周りに、例えば、粘着テープを配置させておけば、即席麺のカップに注湯した後は、設置された粘着テープで開口した蓋を閉じるように粘着する。
【００３８】
この湯沸かし器１を片付ける際には、まず、移動台車１０の予備テーブル１３用の折り畳み脚部１５を閉じて、予備テーブル１３を台車本体１１内に収納する。そして、ロック部１８の係止金具１８１ａを受け金具１８２に係止してロックする。次に、台車本体１１の折り畳み脚部１５を閉じて移動台車１０をキャスタ１２で移動可能な状態にする。折り畳み脚部１５を閉じるときには、支持レバー１５３の元部１５３ａを狭めるように撓ませて折り畳み脚部１５を支持レバー１５３と同時に折り畳む。移動台車１０の手押しハンドル１４が閉じている場合には、手押しハンドル１４を立てて架台３付近まで走行する。
【００３９】
一方、給湯器２には、給水ホース２２、及びガスホース２５が接続されていることから、必要に応じて、給水ホース２２とガスホース２５とを取外す。手押しハンドル１４を台車本体１１の後端面に折り畳んだ後、架台３の底板支持板９を、台車本体１１に嵌着して移動台車１０に載設する。その後、給水ホース２２を巻き付けているホースリールや、ガスボンベ２４等を底板７上に乗せ、湯沸かし器１を移動させて元に収納していた場所まで走行する。
【００４０】
上述のように、実施形態の湯沸かし器１によれば、架台３に搭載された給湯器２は、移動台車１０に載設されていることから、避難場所に即座に移動することができる。しかも、１日２４時間作動できる給湯器２を備え、移動台車１０を給湯器２から分離することによって、移動台車１０を調理台として使用することができることから、避難してきた多くの人たちに食材を提供することができる。
【００４１】
また、移動台車１０には、折り畳み脚部１５や折り畳み手押しハンドル１４を有していることから、移動台車１０に給湯器を載設している場合には、折り畳み脚部１５や手押しハンドル１４を閉じて収納状態とし、移動台車１０が給湯器２と分離している場合には、折り畳み脚部１５や手押しハンドル１４を開いて使用状態とすることができる。その為、移動台車１０を調理台として使用して調理することができることから、多種類の食材を提供することができる。
【００４２】
しかも、移動台車１０には、予備テーブル１３が収納されているから、移動時には、予備テーブル１３を台車本体１１内に収納し、移動後は、予備テーブル１３を台車本体１１から引き出すことができる。そのため、広い範囲でテーブルとして使用することができる。
【００４３】
なお、本考案の移動式災害用湯沸かし器は、上述の形態に限定するものではない。例えば、手押しハンドル１４をコ字状に形成して台車本体１１から着脱可能に形成し、給湯器を搭載した架台と分離した状態で移動台車だけの移動時に装着し、架台を載設して移動する際には取外しできるように構成してもよい。また、折り畳み脚部の折り畳み機構は、上述の形態以外に一般に知られている構成のものであっても使用することができる。
【図面の簡単な説明】
【００４４】
【図１】本考案の移動式災害用湯沸かし器の一形態を示す全体斜視図である。
【図２】同正面図である。
【図３】同側面図である。
【図４】図１の湯沸かし器における底板支持板の底面を示す底面図である。
【図５】同正面断面図である。
【図６】図１の湯沸かし器における移動台車の全体斜視図である。
【図７】図６における移動台車の立脚させた状態を示す全体斜視図である。
【図８】手押しハンドルの収納状態を示す一部側面図である。
【図９】予備テーブルの収納状態を示す側面図である。
【図１０】折り畳み機構を示す底面図である。
【図１１】同断面図である。
【符号の説明】
【００４５】
１、湯沸かし器（移動式災害用湯沸かし器）
２、給湯器
３、架台
５、支柱
６、天板
７、底板
９、底板支持板
１０、移動台車
１１、台車本体
１２、キャスタ
１３、予備テーブル
１４、手押しハンドル
１５、折り畳み脚部
１５１、折り畳み機構
１５３、支持レバー
１６、摺動ガイド部
１８、ロック部
【図１】
0003135231.tif 000003
【図２】
0003135231.tif 000004
【図３】
0003135231.tif 000005
【図４】
0003135231.tif 000006
【図５】
0003135231.tif 000007
【図６】
0003135231.tif 000008
【図７】
0003135231.tif 000009
【図８】
0003135231.tif 000010
【図９】
0003135231.tif 000011
【図１０】
0003135231.tif 000012
【図１１】
0003135231.tif 000013